(57)【特許請求の範囲】
【請求項１】
底部および回転軸を有するケーシングと、
前記回転軸により前記ケーシングに対して回転自在に軸支され操作孔および把持可能な把持部の少なくともいずれかを有する操作部と、
前記回転軸を介して前記操作部から伝達された力により回転する送り部と、
を備え、
前記ケーシングは、
前記底部に接続された第１の側部と、
前記底部に接続され前記第１の側部と対向して設けられた第２の側部と、
前記底部と対向して設けられた上部と、
をさらに有し、
前記上部は、弾性を有する材料を含み、
前記上部の先端部と、前記第１の側部と、の間に第１のスリットが設けられ、
前記先端部と、前記第２の側部と、の間に第２のスリットが設けられ、
前記先端部の先端の縁部は、前記底部に固定されておらず、
前記先端部は、前記底部の方向へ変位可能とされ、
前記底部は、それぞれに薬品が包装された複数の包装袋を有する包装袋帯のうちの一部を前記底部と前記送り部との間で挟設し、
前記送り部が所定の方向へ回転すると前記包装袋帯が前記送り部から力を受けて移動し、前記包装袋が前記ケーシングの外部および前記ケーシングの内部の少なくともいずれかへ送られる薬品送り装置。
【請求項２】
前記底部は、弾性を有する材料を含み、
前記送り部は、弾性を有する材料を含む請求項１記載の薬品送り装置。
【請求項３】
前記底部は、前記底部からみて前記送り部とは反対の方向へ曲げられた部分を有し、
前記包装袋帯のうちの一部は、前記部分と前記送り部との間に挟設される請求項１または２に記載の薬品送り装置。
【請求項４】
前記ケーシングは、光透過性の材料により形成された第１の窓部を有し、
前記外部へ送り出される前の状態の前記包装袋に記載された事項を前記第１の窓部を通して確認可能な請求項１〜３のいずれか１つに記載の薬品送り装置。
【請求項５】
前記ケーシングは、光透過性の材料により形成され、
前記外部へ送り出される前の状態の前記包装袋に記載された事項を前記ケーシングの外側から確認可能な請求項１〜３のいずれか１つに記載の薬品送り装置。
【請求項６】
前記底部は、鉤形の形状を呈し任意の箇所と係合可能とされた係合部を有する請求項１〜５のいずれか１つに記載の薬品送り装置。
【請求項７】
前記先端部の前記縁部と前記回転軸との間の距離は、前記底部の縁部と前記回転軸との間の距離よりも短い請求項１〜６のいずれか１つに記載の薬品送り装置。
【請求項８】
第１の薬品送り装置と、前記第１の薬品送り装置とは異なる第２の薬品送り装置と、が互いに連結される場合において、
前記第１の薬品送り装置および前記第２の薬品送り装置のそれぞれは、前記操作孔および前記把持部を有し、
前記第１の薬品送り装置の前記操作孔は前記第２の薬品送り装置の前記把持部と係合し、前記第１の薬品送り装置の前記把持部は前記第２の薬品送り装置の前記操作孔と係合するように、前記操作孔および前記把持部が配置され、
前記第１の薬品送り装置の前記操作孔を前記第２の薬品送り装置の前記把持部と係合させ、前記第１の薬品送り装置の前記把持部を前記第２の薬品送り装置の前記操作孔と係合させた状態で、前記第１の薬品送り装置および前記第２の薬品送り装置の前記操作部を連動可能とした請求項１〜６のいずれか１つに記載の薬品送り装置。
【請求項９】
請求項１〜８のいずれか１つに記載の薬品送り装置と、
前記包装袋帯を収納可能な空間を有する箱と、
を備えた薬品管理器具。
【請求項１０】
前記箱は、光透過性の材料により形成された第２の窓部を有し、
前記空間に収納された状態の前記包装袋帯の前記包装袋を前記第２の窓部を通して確認可能な請求項９記載の薬品管理器具。
【請求項１１】
前記箱は、光透過性の材料により形成され、
前記空間に収納された状態の前記包装袋帯の前記包装袋を前記箱の外側から確認可能な請求項９記載の薬品管理器具。
【請求項１２】
前記箱は、凹形状を呈する貼付部を有する請求項９〜１１のいずれか１つに記載の薬品管理器具。
【発明の詳細な説明】
【技術分野】
【０００１】
本発明の態様は、一般的に、薬品送り装置および薬品管理器具に関する。
【背景技術】
【０００２】
例えば、医師が複数の種類の薬品を患者に処方した場合において、患者が一回あたり（例えば朝食後）に服用する薬品の種類あるいは薬品の数が比較的多いことがある。この場合において、患者は、薬品を服用することを煩雑に感ずることがある。あるいは、例えば年配の患者などは、いずれの種類の薬品をいずれの数だけ服用すればよいか分からないことがある。これに対して、一回当たりに服用する薬品が１つの袋に包装（一包化）された包装袋がある。また、そのような包装袋が連続した包装袋帯がある。これによれば、例えば、朝食後、昼食後および夕食後のそれぞれの１回あたりに服用する薬品は、より明確になる。
【０００３】
しかし、例えば年配の患者などは、薬品を服用するときに、包装袋帯の両端部のうちのいずれの端部の包装袋の薬品を服用すればよいか分からない場合がある。そのため、例えば薬品が一包化された包装袋の包装袋帯を管理する点においては、さらなる改善が望まれている。
【先行技術文献】
【特許文献】
【０００４】
【特許文献１】登録実用新案第３１５４２１１号公報
【発明の概要】
【発明が解決しようとする課題】
【０００５】
本発明は、かかる課題の認識に基づいてなされたものであり、薬品の管理を向上させることができる薬品送り装置および薬品管理器具を提供することを目的とする。
【課題を解決するための手段】
【０００６】
実施形態によれば、底部および回転軸を有するケーシングと、前記回転軸により前記ケーシングに対して回転自在に軸支され操作孔および把持可能な把持部の少なくともいずれかを有する操作部と、前記回転軸を介して前記操作部から伝達された力により回転する送り部と、を備え、前記ケーシングは、前記底部に接続された第１の側部と、前記底部に接続され前記第１の側部と対向して設けられた第２の側部と、前記底部と対向して設けられた上部と、をさらに有し、前記上部は、弾性を有する材料を含み、前記上部の先端部と、前記第１の側部と、の間に第１のスリットが設けられ、前記先端部と、前記第２の側部と、の間に第２のスリットが設けられ、前記先端部の先端の縁部は、前記底部に固定されておらず、前記先端部は、前記底部の方向へ変位可能とされ、前記底部は、それぞれに薬品が包装された複数の包装袋を有する包装袋帯のうちの一部を前記底部と前記送り部との間で挟設し、前記送り部が所定の方向へ回転すると前記包装袋帯が前記送り部から力を受けて移動し、前記包装袋が前記ケーシングの外部および前記ケーシングの内部の少なくともいずれかへ送られる薬品送り装置が提供される。
【発明の効果】
【０００７】
本発明の態様によれば、薬品の管理を向上させることができる薬品送り装置および薬品管理器具が提供される。
【図面の簡単な説明】
【０００８】
【図１】本発明の実施の形態にかかる薬品送り装置を備えた薬品管理器具を表す模式的斜視図である。
【図２】薬品が一包化された包装袋の包装袋帯を例示する模式的平面図である。
【図３】図１に表した切断面Ａ−Ａにおける模式的断面図である。
【図４】図３に表した切断面Ｂ−Ｂにおける模式的断面図である。
【図５】本実施形態の係合部を説明する模式的断面図である。
【図６】本実施形態にかかる薬品管理器具の使用形態の一例を例示する模式的平面図である。
【図７】本実施形態の連結台を表す模式的斜視図である。
【発明を実施するための形態】
【０００９】
以下、本発明の実施の形態について図面を参照しつつ説明する。なお、各図面中、同様の構成要素には同一の符号を付して詳細な説明は適宜省略する。  
図１は、本発明の実施の形態にかかる薬品送り装置を備えた薬品管理器具を表す模式的斜視図である。  
図２は、薬品が一包化された包装袋の包装袋帯を例示する模式的平面図である。  
図３は、図１に表した切断面Ａ−Ａにおける模式的断面図である。  
図４は、図３に表した切断面Ｂ−Ｂにおける模式的断面図である。  
なお、図１は、説明の便宜上、薬品管理器具を分解した状態を表している。図４では、説明の便宜上、窓部１１３ａを省略している。
【００１０】
図１、図３および図４に表した薬品管理器具１０は、薬品送り装置１００と、箱２００と、を備える。  
薬品送り装置１００は、ケーシング１１０と、操作部１２０と、送り部１４１と、を有する。ケーシング１１０は、回転軸１３１を有する。
【００１１】
ケーシング１１０は、右側部（第１の側部）１１１と、左側部（第２の側部）１１２（図４参照）と、上部１１３と、底部１１４と、を有する。ケーシング１１０の内部には、空洞部１０１が設けられている。空洞部１０１は、右側部１１１と、左側部１１２と、上部１１３と、底部１１４と、により囲まれた領域に相当する。ケーシング１１０の前部には、取出口１１６が設けられている。ケーシング１１０の内部は、取出口１１６を通してケーシング１１０の外部とつながっている。
【００１２】
図３に表したように、底部１１４のうちの後方部１１４ａは、下方（底部１１４からみて空洞部１０１、回転軸１３１および送り部１４１とは反対の方向）へ曲げられた形状を有する。例えば、底部１１４のうちの後方部１１４ａは、下方へ湾曲した形状を有する。これにより、底部１１４のうちの一部には、挿入孔１１９（図３参照）が形成されている。ケーシング１１０の内部は、挿入孔１１９を通してケーシング１１０の外部とつながっている。底部１１４は、弾性を有する材料を含む。ケーシング１１０の材料としては、例えば樹脂や金属などが挙げられる。  
本願明細書において「後方部」とは、底部１１４のうちの部分であって、送り部１４１と対向する位置から後方の部分をいう。
【００１３】
上部１１３は、弾性を有する材料を含む。上部１１３の先端部１１３ｂと、右側部１１１と、の間には、第１のスリット１５１ａが設けられている。上部１１３の先端部１１３ｂと、左側部１１２と、の間には、第２のスリット１５１ｂが設けられている。これにより、上部１１３の先端部１１３ｂは、略上下方向に変位可能である。具体的には、上部１１３の先端部１１３ｂは、第１のスリット１５１ａの一端部および第２のスリット１５１ｂの一端部を軸として回転可能あるいは略上下方向に変位可能である。  
ケーシング１１０の上部１１３には、窓部１１３ａ（第１の窓部）が設けられている。窓部１１３ａは、光透過性の材料により形成されている。窓部１１３ａの材料としては、例えば、光透過性の樹脂やガラスなどが挙げられる。
【００１４】
図３に表したように、ケーシング１１０の底部１１４には、突起部１１７が付設されている。突起部１１７は、底部１１４の表面（下面）に設けられ、外側（図３では前側および後側）に向かって突出した部分を有する。
【００１５】
図１に表したように、箱２００は、右壁部２１１と、前壁部２１５と、後壁部２１９と、を有する。箱２００の内部には、空間２０１が設けられている。箱２００は、空間２０１において包装袋帯５０（図２参照）を収納することができる。箱２００の壁部には、凹部２２１が設けられている。図１に表した箱２００では、凹部２２１は、前壁部２１５および後壁部２１９のそれぞれに設けられている。
【００１６】
ケーシング１１０の突起部１１７は、箱２００の凹部２２１と係合可能とされている。突起部１１７は、薬品送り装置１００が箱２００に載置された状態において箱２００の凹部２２１と係合し、薬品送り装置１００が箱２００に対して上下方向および水平方向に移動することを抑制する。これにより、薬品送り装置１００と箱２００との間の「がた」が抑えられ、使用者は、箱２００に取り付けられた状態の薬品送り装置１００を比較的容易に持ち運ぶことができる。
【００１７】
ケーシング１１０の底部１１４には、係合部１１８が付設されている。係合部１１８は、底部１１４の表面（下面）に設けられ、例えば鉤形の形状を有する。係合部１１８の詳細については、後述する。
【００１８】
図１および図４に表したように、回転軸１３１は、ケーシング１１０の空洞部１０１に設けられ、ケーシング１１０に対して回動自在に軸支されている。例えば、回転軸１３１は、ケーシング１１０の右側部１１１およびケーシング１１０の左側部１１２に支持されている。
【００１９】
操作部１２０は、回転軸１３１の一端部および回転軸１３１の他端部のそれぞれに設けられている。操作部１２０は、回転軸１３１によりケーシング１１０に対して回転自在に軸支されている。操作部１２０は、回転軸１３１に固定され、回転軸１３１とともに回転可能である。言い換えれば、回転軸１３１は、操作部１２０と連結され、操作部１２０の回転とともに回転可能である。
【００２０】
操作部１２０は、把持部１２１と、操作孔１２３と、を有する。例えば、使用者は、把持部１２１を持ち操作部１２０を回転させることができる。あるいは、使用者は、操作孔１２３に指などを入れ操作部１２０を回転させることができる。使用者が操作部１２０を回転させると、回転軸１３１は、操作部１２０とともに回転する。
【００２１】
送り部１４１は、例えば、スポンジやゴムなどの弾性を有する材料を含む。送り部１４１は、回転軸１３１により、ケーシング１１０に対して回転自在に軸支されている。送り部１４１は、回転軸１３１に取り付けられ、回転軸１３１とともに回転する。使用者が操作部１２０を回転させると、送り部１４１は、回転軸１３１を介して操作部１２０から伝達されたトルク（回転力）により回転する。  
あるいは、送り部１４１は、例えば樹脂や金属などを含む歯車であってもよい。送り部１４１が歯車である場合にも、送り部１４１は、回転軸１３１に取り付けられ、回転軸１３１とともに回転する。
【００２２】
箱２００の右壁部２１１には、窓部２１３（第２の窓部）が設けられている。窓部２１３は、光透過性の材料により形成されている。窓部２１３の材料としては、例えば、光透過性の樹脂やガラスなどが挙げられる。箱２００の前壁部２１５には、貼付部２１７が設けられている。貼付部２１７は、箱２００の前壁部２１５の表面（外面）から後退した位置に設けられている。例えば、貼付部２１７は、凹形状を呈する。貼付部２１７の第１の長さＤ１は、例えば約４センチメートル（ｃｍ）以上６ｃｍ以下程度である。貼付部２１７の第２の長さＤ２は、例えば約７ｃｍ以上９ｃｍ以下程度である。
【００２３】
図２に表した包装袋帯５０では、一回当たりに服用する薬品が１つの包装袋５１に包装（一包化）されている。包装袋帯５０は、複数の包装袋５１を有する。隣り合う複数の包装袋５１は、切断線５３を介して互いに接続されている。例えば、患者は、切断線５３において１つの包装袋５１を切り取り、その包装袋５１の中の薬品を取り出すことで、１回当たりの薬品を服用することができる。包装袋５１の表面には、表示部５５が設けられている。表示部５５には、例えば、患者名５５ａや日付５５ｂや服薬時間５５ｃなどが記載されている。なお、表示部５５に記載される事項は、患者名５５ａ、日付５５ｂおよび服薬時間５５ｃに限定されるわけではない。包装袋５１の材料としては、一般的に、樹脂や紙などが挙げられる。
【００２４】
次に、本実施形態にかかる薬品管理器具１０の使用方法について説明する。 
例えば年配の患者などは、薬品を服用するときに、包装袋帯５０の両端部のうちのいずれの端部の包装袋５１の薬品を服用すればよいか分からない場合がある。例えば、約２週間程度の薬品が処方された場合には、包装袋帯５０は、比較的長い。そのため、例えば、患者は、包装袋帯５０の両端部のうちのいずれの端部の包装袋５１の薬品から服用し始めたのか分からなくなることがある。
【００２５】
これに対して、本実施形態では、図３に表したように、使用者は、ケーシング１１０の底部１１４の後方部１１４ａと、送り部１４１と、の間に包装袋帯５０を挟む。ここで、前述したように、ケーシング１１０の底部１１４と、送り部１４１と、のそれぞれは、弾性を有する材料を含む。これにより、図３および図４に表したように、送り部１４１は、送り部１４１自身と、ケーシング１１０の底部１１４の後方部１１４ａと、の間に包装袋帯５０を挟設し保持することができる。
【００２６】
送り部１４１は、送り部１４１自身と後方部１１４ａとの間に包装袋帯５０を挟設した状態では、わずかに変形し包装袋帯５０を後方部１１４ａへ押し付ける。一方で、ケーシング１１０の底部１１４の後方部１１４ａは、後方部１１４ａ自身と送り部１４１との間に包装袋帯５０を挟設した状態では、わずかに下方へ撓み包装袋帯５０を送り部１４１へ押し付ける。つまり、送り部１４１は、後方部１１４ａの側へ向かう付勢力を包装袋帯５０に与える。一方で、後方部１１４ａは、送り部１４１の側へ向かう付勢力を包装袋帯５０に与える。これにより、包装袋帯５０は、ケーシング１１０の底部１１４の後方部１１４ａと、送り部１４１と、の間に挟設され保持される。
【００２７】
使用者は、後方部１１４ａと送り部１４１との間に包装袋帯５０を挟設させるときには、係合部１１８を利用することができる。  
これについて、図面を参照しつつさらに説明する。
【００２８】
図５は、本実施形態の係合部を説明する模式的断面図である。  
図３に関して前述したように、ケーシング１１０の底部１１４には、係合部１１８が付設されている。係合部１１８は、鉤形の形状を有し、例えば箱２００の壁部などに係合可能とされている。図５では、係合部１１８が箱２００の前壁部２１５の上端部と係合している。但し、係合部１１８が係合する場所は、箱２００の前壁部２１５の上端部には限定されない。
【００２９】
使用者は、ケーシング１１０の底部１１４の後方部１１４ａと、送り部１４１と、の間に包装袋帯５０を挟設させるときには、まず、係合部１１８を例えば箱２００の壁部などに係合させる。これにより、薬品送り装置１００を例えば箱２００の壁部などに保持させることができる。続いて、図５に表した矢印Ａ１のように、使用者は、包装袋帯５０が有する複数の包装袋５１のうちで服用を開始する薬品の包装袋５１ａを、挿入孔１１９を通してケーシング１１０の空洞部１０１へ挿入し、後方部１１４ａと、送り部１４１と、の間に挟設させる。
【００３０】
続いて、使用者が図５に表した矢印Ａ２の方向へ操作部１２０を回転させると、送り部１４１は、回転軸１３１を介して操作部１２０から伝達されたトルク（回転力）により、図５に表した矢印Ａ３の方向へ回転する。これにより、包装袋帯５０が有する複数の包装袋５１のうちで服用を開始する薬品の包装袋５１ａは、ケーシング１１０の底部１１４の後方部１１４ａと、送り部１４１と、の間において、より確実に挟設され保持される。
【００３１】
続いて、使用者は、包装袋５１ａの薬品よりも後に服用する薬品の複数の包装袋５１の帯（包装袋帯５０）を箱２００の空間２０１に適宜収納することができる。  
なお、使用者は、包装袋帯５０を箱２００の空間２０１に収納した後に、前述した方法により、包装袋帯５０が有する複数の包装袋５１のうちで服用を開始する薬品の包装袋５１ａを後方部１１４ａと送り部１４１との間に挟設させてもよい。
【００３２】
続いて、図３に戻って説明すると、使用者は、操作部１２０を図３に表した矢印Ａ４の方向に回転させる。すると、図３に表した矢印Ａ５のように、送り部１４１が操作部１２０の回転方向と同じ方向に回転する。送り部１４１が図３に表した矢印Ａ５の方向に回転すると、包装袋帯５０は、送り部１４１から力を受け、底部１１４の上を図３に表した矢印Ａ６の方向へ移動する。これにより、服用開始の薬品の包装袋５１ａがケーシング１１０の外部へ送り出され、ケーシング１１０の取出口１１６から出てくる。なお、服用途中の場合（服用開始の薬品をすでに服用済みの場合）には、包装袋帯５０のうちの端部に存在する包装袋５１がケーシング１１０の取出口１１６から出てくる。
【００３３】
続いて、使用者は、図３に表した矢印Ａ１１の方向へ向かって上部１１３の先端部１１３ｂを押す。言い換えれば、使用者は、上部１１３の先端部１１３ｂを底部１１４へ向かって押す。前述したように、上部１１３は、弾性を有する材料を含む。また、上部１１３の先端部１１３ｂと、ケーシング１１０の側部（右側部１１１および左側部１１２）と、の間には、第１のスリット１５１ａおよび第２のスリット１５１ｂが設けられている。そのため、使用者は、上部１１３の先端部１１３ｂを比較的容易に底部１１４へ向かって押すことができる。
【００３４】
すると、ケーシング１１０の取出口１１６から出てきた包装袋５１は、上部１１３の先端部１１３ｂと底部１１４との間に挟まれ、上部１１３の先端部１１３ｂにより底部１１４に押し付けられる。例えば、使用者は、上部１１３の先端部１１３ｂの縁部１１３ｃを包装袋帯５０の切断線５３に当てることにより、服用する薬品の包装袋５１を比較的容易に包装袋帯５０から切り離すことができる。
【００３５】
このとき、図３に表したように、上部１１３の先端部１１３ｂの縁部１１３ｃは、底部１１４の前方側の縁部１１４ｂよりも後方側に位置する。言い換えれば、縁部１１３ｃと回転軸１３１との間の距離は、縁部１１４ｂと回転軸１３１との間の距離よりも短い。そのため、使用者は、上部１１３の先端部１１３ｂにより包装袋５１を底部１１４に押し付けた状態であっても、例えば包装袋帯５０の切断線５３を比較的容易に視認することができる。
【００３６】
本実施形態によれば、使用者は、包装袋帯５０が取出口１１６から垂下することを抑え、必要な包装袋５１を１つずつ取出口１１６からケーシング１１０の外部へ送り出すことができる。これにより、使用者は、服用すべき薬品が包装された包装袋５１をより明確に認識することができる。これにより、薬品の管理を向上させることができる。
【００３７】
前述したように、窓部１１３ａがケーシング１１０の上部１１３に設けられている。これによれば、使用者は、包装袋５１を取出口１１６から出す前に、窓部１１３ａを通して包装袋５１の表示部５５に記載された事項を確認することができる。そのため、使用者は、包装袋５１を取出口１１６から出す前に、服用する薬品が包装された包装袋５１を事前に確認し、服用すべき薬品とは異なる薬品を服用することをより確実に抑えることができる。これにより、薬品の管理をより向上させることができる。
【００３８】
なお、ケーシング１１０の全体が、光透過性の材料により形成されていてもよい。これによれば、窓部１１３ａが上部１１３に設けられていなくとも、使用者は、ケーシング１１０の外側から包装袋５１を事前に確認することができる。
【００３９】
前述したように、箱２００の右壁部２１１には窓部２１３が設けられている。これによれば、使用者は、窓部２１３を通して箱２００の空間２０１を見ることで、包装袋帯５０の残りの包装袋５１を確認することができる。これにより、薬品送り装置１００を箱２００から取り外すことなく、簡易的に包装袋帯５０の残りの包装袋５１を確認することができる。
【００４０】
なお、箱２００の全体が、光透過性の材料により形成されていてもよい。これによれば、窓部２１３が右壁部２１１に設けられていなくとも、使用者は、箱２００の外側から簡易的に包装袋帯５０の残りの包装袋５１を確認することができる。
【００４１】
例えば患者名が記載されたシートや患者の顔写真などが貼付部２１７に貼られている場合には、薬品管理器具１０が複数の患者の間において取り違えられることを抑制することができる。
【００４２】
使用者が図３に表した矢印Ａ７の方向へ操作部１２０を回転させると、底部１１４の上の包装袋帯５０は、図３に表した矢印Ａ８の方向へ移動する。つまり、使用者は、図３に表した矢印Ａ７の方向へ操作部１２０を回転させることにより、挿入孔１１９を通して包装袋帯５０の一部をケーシング１１０の外部（例えば箱２００の空間２０１）へ送り出すことができる。これにより、例えば包装袋帯５０に皺が生じた場合には、使用者は、操作部１２０を図３に表した矢印Ａ７の方向へ回転させることで皺を取ることができる。また、不要な包装袋５１が取出口１１６からケーシング１１０の外部へ出た場合でも、その不要な包装袋５１をケーシング１１０の空洞部１０１へ戻すことができる。
【００４３】
図６は、本実施形態にかかる薬品管理器具の使用形態の一例を例示する模式的平面図である。  
図７は、本実施形態の連結台を表す模式的斜視図である。  
なお、図６では、説明の便宜上、窓部１１３ａを省略している。
【００４４】
例えば、使用者は、複数の薬品管理器具１０を連結させて使用することができる。すなわち、図６に表したように、使用者は、複数の薬品管理器具１０を用意し、任意の薬品管理器具１０の把持部１２１を、その任意の薬品管理器具１０と隣り合う他の薬品管理器具１０の操作孔１２３に挿入する。任意の薬品管理器具１０の把持部１２１は、その任意の薬品管理器具１０と隣り合う他の薬品管理器具１０の操作孔１２３と係合し、その任意の薬品管理器具１０と隣り合う他の薬品管理器具１０の操作部１２０を作動させることができる。これにより、使用者は、複数の薬品管理器具１０を連結させ、複数の操作部１２０を連動して回転させることができる。つまり、操作部１２０は、連結装置として機能する。これによれば、使用者は、複数の包装袋帯５０をまとめて管理することができる。
【００４５】
例えば、使用者は、図７に表した連結台３００を使用して複数の薬品管理器具１０を連結させてもよい。図７に表した連結台３００は、保持部３１０を有する。保持部３１０は、薬品管理器具１０の箱２００を保持することができる。これにより、図６に表したように、使用者は、連結台３００の保持部３１０に箱２００を保持させた状態で、複数の操作部１２０を比較的容易に連動して回転させることができる。なお、図６および図７に関する説明では、２つの薬品管理器具１０が連結された例を挙げた。但し、薬品管理器具１０が連結される数は、２つに限定されず、３つ以上であってもよい。３つ以上の薬品管理器具１０が連結される場合でも、図６および図７に関して前述した実施形態と同様の形態を利用することができる。
【００４６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、薬品送り装置１００および箱２００などが備える各要素の形状、寸法、材質、配置などや操作部１２０、窓部１１３ａ、および取出口１１６などの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４７】
１０ 薬品管理器具、  ５０ 包装袋帯、  ５１、５１ａ 包装袋、  ５３ 切断線、  ５５ 表示部、  ５５ａ 患者名、  ５５ｂ 日付、  ５５ｃ 服薬時間、  １００ 薬品送り装置、  １０１ 空洞部、  １１０ ケーシング、  １１１ 右側部、  １１２ 左側部、  １１３ 上部、  １１３ａ 窓部、  １１３ｂ 先端部、  １１３ｃ 縁部、  １１４ 底部、  １１４ａ 後方部、  １１４ｂ 縁部、  １１６ 取出口、  １１７ 突起部、  １１８ 係合部、  １１９ 挿入孔、  １２０ 操作部、  １２１ 把持部、  １２３ 操作孔、  １３１ 回転軸、  １４１ 送り部、  １５１ａ 第１のスリット、１５１ｂ 第２のスリット、  ２００ 箱、  ２０１ 空間、  ２１１ 右壁部、  ２１３ 窓部、  ２１５ 前壁部、  ２１７ 貼付部、  ２１９ 後壁部、  ２２１ 凹部、  ３００ 連結台、  ３１０ 保持部
【図１】
0006429369.tif 000002
【図２】
0006429369.tif 000003
【図３】
0006429369.tif 000004
【図４】
0006429369.tif 000005
【図５】
0006429369.tif 000006
【図６】
0006429369.tif 000007
【図７】
0006429369.tif 000008